【手続補正書】
【提出日】平成20年1月18日(2008.1.18)
【手続補正１】
【補正対象書類名】明細書
【補正対象項目名】発明の名称
【補正方法】変更
【補正の内容】
【発明の名称】光学装置
【手続補正２】
【補正対象書類名】明細書
【補正対象項目名】特許請求の範囲
【補正方法】変更
【補正の内容】
【特許請求の範囲】
【請求項１】
光学素子を保持し、所定方向に移動可能な可動部材と、この可動部材により位置決め保持されたエンコーダマグネットと、このエンコーダマグネットの着磁面に対向配置されて前記エンコーダマグネットの前記所定方向への移動に伴う磁気の変化に応じて電気信号を出力する磁気感知式の位置検出センサとを有する光学装置であって、
前記エンコーダマグネットが、このエンコーダマグネットにおける前記着磁面とは反対側の面と前記可動部材との間に間隔を空けた状態で、前記エンコーダマグネットの着磁面が前記位置検出センサの磁気感知面に対して前記所定方向にて略平行となるよう前記可動部材に対して位置決めされていることを特徴とする光学装置。
【請求項２】
前記間隔が、装置組み立て時において、前記エンコーダマグネットの着磁面と前記位置検出センサの磁気感知面とを前記所定方向にて略平行となるよう前記エンコーダマグネットの位置決め調整を許容する大きさを有することを特徴とする請求項１に記載の光学装置。
【請求項３】
前記可動部材に、前記エンコーダマグネットの着磁面の一部と当接してこの着磁面と前記位置検出センサの磁気感知面とを前記所定方向にて略平行となるよう位置決めするための基準面が設けられており、
前記間隔が、装置組み立て時において、前記着磁面の一部が前記基準面に当接する位置への前記エンコーダマグネットの組み込みを許容する大きさを有することを特徴とする請求項１に記載の光学装置。
【請求項４】
前記間隔内に前記エンコーダマグネットを前記可動部材に対して固定するための接着剤を入り込ませたことを特徴とする請求項１から３のいずれか１つに記載の光学装置。
【手続補正３】
【補正対象書類名】明細書
【補正対象項目名】０００１
【補正方法】変更
【補正の内容】
【０００１】
【発明の属する技術分野】
本発明は、ビデオカメラ，デジタルスチルカメラ等の撮像装置に用いられる撮影レンズ鏡筒等の光学装置に関するものである。
【手続補正４】
【補正対象書類名】明細書
【補正対象項目名】０００７
【補正方法】変更
【補正の内容】
【０００７】
また、従来の移動レンズ群周囲の構造は、本願図５（Ａ）に示すようになっているが、エンコーダマグネット２１４における着磁面２１４ａと移動レンズ群を保持する移動鏡枠２０５に対する位置出し面２１４ｂとが異なっており、しかも着磁面２１４ａと位置出し面２１４ｂとが平行になっていない場合がある。この場合、エンコーダマグネット２１４の着磁面２１４ａと移動鏡枠２０５のスリーブの位置出し基準面２０５ａとの平行度ずれが生じ易く、移動鏡枠２０５とともにエンコーダマグネット２１４が移動した場合、その移動方向に対してエンコーダマグネット２１４の着磁面２１４ａとＭＲセンサ２１６の磁気感知面との間のギャップが、上記平行度ずれ分変化してしまう。
【手続補正５】
【補正対象書類名】明細書
【補正対象項目名】００１０
【補正方法】変更
【補正の内容】
【００１０】
【課題を解決するための手段】
上記の課題を解決するために、本発明では、光学素子を保持し、所定方向に移動可能な可動部材と、この可動部材により位置決め保持されたエンコーダマグネットと、このエンコーダマグネットの着磁面に対向配置されて前記エンコーダマグネットの所定方向への移動に伴う磁気の変化に応じて電気信号を出力する磁気感知式の位置検出センサとを有する光学装置であって、エンコーダマグネットが、このエンコーダマグネットにおける着磁面とは反対側の面と可動部材との間に間隔を空けた状態で、エンコーダマグネットの着磁面が位置検出センサの磁気感知面に対して所定方向にて略平行となるよう可動部材に対して位置決めしている
【手続補正６】
【補正対象書類名】明細書
【補正対象項目名】００１１
【補正方法】変更
【補正の内容】
【００１１】
すなわち、エンコーダマグネットにおける着磁面とは反対側の面をこのエンコーダマグネットの可動部材に対する位置出し面とはせずに、上記反対側の面と可動部材との間に間隔が空くようにエンコーダマグネットを可動部材に対して位置決めする構成とすることにより、装置組み立て時に、上記間隔分のスペースがあることによって、エンコーダマグネットの着磁面が位置検出センサの磁気感知面に対して上記所定方向にて略平行となるようエンコーダマグネットを位置決め調整したり可動部材に設けられた位置決め基準面に着磁面の一部が当接する位置にエンコーダマグネットを組み込んだりすることが可能となる。
【手続補正７】
【補正対象書類名】明細書
【補正対象項目名】００１２
【補正方法】変更
【補正の内容】
【００１２】
これにより、エンコーダマグネットの部品精度（着磁面とその反対側の面との平行度の精度）にかかわらず、エンコーダマグネットが可動部材とともに移動したときの位置検出センサとエンコーダマグネットとのギャップ量変化をほぼなくすことが可能となり、ギャップ量変化による位置検出センサの出力特性変動を防止することが可能となる。
【手続補正８】
【補正対象書類名】明細書
【補正対象項目名】００１７
【補正方法】変更
【補正の内容】
【００１７】
４は第３群であるアフォーカルレンズ群を固定保持する３群保持枠である。５は光学素子としての第４群であるフォーカス群を兼ねた補正レンズ群を保持する４群保持枠（可動部材）であり、スリーブ部５ａとＵ溝部５ｂが形成されている。スリーブ部５ａとＵ溝部５ｂはそれぞれ、ガイドバー９、８に移動可能に係合しており、これにより４群保持枠５はガイドバー８、９によってガイドされながら略光軸方向に移動することができる。
【手続補正９】
【補正対象書類名】明細書
【補正対象項目名】００２１
【補正方法】変更
【補正の内容】
【００２１】
４群保持枠５には空芯のコイル１０が固定されており、このコイル１０に通電すると、ホルダー鏡筒６に固定保持されたヨーク１１、マグネット１２およびヨーク１３とともに形成される磁気回路の作用によって、４群保持枠５が略光軸方向に駆動される。
【手続補正１０】
【補正対象書類名】明細書
【補正対象項目名】００２２
【補正方法】変更
【補正の内容】
【００２２】
ここで、４群保持枠５の初期位置は、４群保持枠５とホルダー鏡筒６との突き当てにより決定され、ここからの４群保持枠５の位置検出および駆動制御は、４群保持枠５に位置決め保持されたエンコーダマグネット１４が位置検出センサとしてのＭＲセンサ１６に対して移動することに伴ってＭＲセンサ１６に作用する磁気の変化（又は磁気の強度変化）に応じたＭＲセンサ１６からの出力信号に基づいて行われる。
【手続補正１１】
【補正対象書類名】明細書
【補正対象項目名】００２５
【補正方法】変更
【補正の内容】
【００２５】
図２には、ＭＲセンサ１６の出力変化と４群保持枠５の位置制御の概要を示している。図２（Ａ）に示すように、ＭＲセンサ１６はエンコーダマグネット１４のＳ，Ｎ変化により、９０ｄｅｇの位相差を有する電気信号である２相の正弦波を出力する。
【手続補正１２】
【補正対象書類名】明細書
【補正対象項目名】００３０
【補正方法】変更
【補正の内容】
【００３０】
図３に示すように、ＭＲセンサ１６は、エンコーダ着磁面１４ａに対して対向配置されており、磁気感知面２０ａを有するセンサ部２０をモールドのケース部にインサート成形したものである。インサート型の構造としては、センサ部２０の磁気感知面２０ａを受ける型の面と取付け面１６ａを形成する型の面とが同一の平面となったものであり、取付け面１６ａからのセンサ位置精度を高精度化している。
【手続補正１３】
【補正対象書類名】明細書
【補正対象項目名】００３１
【補正方法】変更
【補正の内容】
【００３１】
また、エンコーダマグネット１４を、そのエンコーダ着磁面１４ａが４群保持枠５のスリーブ部５ａに形成されたバー嵌合穴５ｃ、５ｄの中心軸Ｘ−Ｘに平行となりかつ、ＭＲセンサ１６の磁気感知面２０ａに対して所定のギャップを維持して略平行となるようスリーブ部５ａに対して位置決め調整可能とするために、スリーブ部５ａとエンコーダマグネット１４におけるエンコーダ着磁面１４ａとは反対側の面（以下、裏面という）１４ｂとの間には、上記位置決め調整を許容するのに十分な大きさ（高さ）の間隔ｔが空けられている。
【手続補正１４】
【補正対象書類名】明細書
【補正対象項目名】００３５
【補正方法】変更
【補正の内容】
【００３５】
そして、このようにエンコーダマグネット１４をスリーブ部５ａに対して位置決め固定することにより、エンコーダマグネット１４の部品精度（エンコーダ着磁面１４ａと裏面１４ｂとの平行度の精度）にかかわらず、エンコーダマグネット１４が４群保持枠５とともに移動したときのＭＲセンサ１６の磁気感知面２０ａとエンコーダマグネット１４のエンコーダ着磁面１４ａとのギャップ量変化をほぼなくすことができ、ギャップ量変化によるセンサ出力特性の変動を防止することができ、４群保持枠５（つまりは補正レンズ群）の高精度の位置検出および位置制御を行うことができる。
【手続補正１５】
【補正対象書類名】明細書
【補正対象項目名】００４０
【補正方法】変更
【補正の内容】
【００４０】
そして、本実施形態でも、エンコーダマグネット１４が位置出し基準面１０５ｅ、１０５ｆによりスリーブ部１０５ａに対して位置決めされた状態では、スリーブ部１０５ａとエンコーダマグネット１４における裏面１４ｂとの間には、間隔ｔが空けられている。
【手続補正１６】
【補正対象書類名】明細書
【補正対象項目名】００４３
【補正方法】変更
【補正の内容】
【００４３】
そして、このようにエンコーダマグネット１４をスリーブ部１０５ａに対して位置決め固定することにより、エンコーダマグネット１４の部品精度（エンコーダ着磁面１４ａと裏面１４ｂとの平行度の精度）にかかわらず、エンコーダマグネット１４が４群保持枠１０５とともに移動したときのＭＲセンサ１６の磁気感知面２０ａとエンコーダマグネット１４のエンコーダ着磁面１４ａとのギャップ量変化をほぼなくすことができ、ギャップ量変化によるセンサ出力特性の変動を防止することができ、４群保持枠１０５（つまりは補正レンズ群）の高精度の位置検出および位置制御を行うことができる。
【手続補正１７】
【補正対象書類名】明細書
【補正対象項目名】００４６
【補正方法】変更
【補正の内容】
【００４６】
【発明の効果】
以上説明したように、本発明によれば、エンコーダマグネットにおける着磁面とは反対側の面をこのエンコーダマグネットの可動部材に対する位置出し面とはせずに、上記反対側の面と可動部材との間に間隔が空くようにエンコーダマグネットを可動部材に対して位置決めする構成としているので、装置組み立て時に、上記間隔分のスペースがあることによって、エンコーダマグネットの着磁面が位置検出センサの磁気感知面に対して所定方向にて略平行となるようエンコーダマグネットを位置決め調整したり可動部材に設けられた位置決め基準面に着磁面の一部が当接する位置にエンコーダマグネットを組み込んだりすることができる。
【手続補正１８】
【補正対象書類名】明細書
【補正対象項目名】００４７
【補正方法】変更
【補正の内容】
【００４７】
したがって、エンコーダマグネットの部品精度（着磁面とその反対側の面との平行度の精度）にかかわらず、エンコーダマグネットが可動部材とともに移動したときの位置検出センサとエンコーダマグネットとのギャップ量変化をほぼなくすことができ、ギャップ量変化による位置検出センサの出力特性変動を防止することができる。このため、可動部材の高精度の位置検出や位置制御を行うことができる。
【手続補正１９】
【補正対象書類名】図面
【補正対象項目名】図３
【補正方法】変更
【補正の内容】
【図３】
2002214501.tif 000001